(57)【特許請求の範囲】
【請求項１】
電話回線に接続された親機と、該親機と無線接続された子機と、を備えたコードレス電話装置において、
子機に内蔵されたバッテリーの充電状態を検出する充電検出手段と、
該充電検出手段が充電断を検出したとき親機と子機との間で回線捕捉を行う回線捕捉手段と、
回線捕捉時や親機と子機との接続中に通信不能になったときエラートーンを鳴らすエラートーン鳴動手段と、
常時親機と子機間で通信している同期信号を検出する同期信号検出手段と、
前記充電検出手段による充電断の検出と、前記同期信号検出手段による同期信号断の検出が同時に起きたとき、前記コードレス電話装置全体の電源が落ちていると判断して、前記通信不能になっても前記エラートーン鳴動手段によるエラートーンを鳴らさないように親機を圏外扱いに制御すると共に、前記同期信号検出手段による同期信号が断たれていなかった場合は、前記親機に対して回線が捕捉されたら、予め設定されたリトライ回数だけ回線接続要求を送出して、リトライオーバーとなった際は、前記エラートーン鳴動手段によるエラートーンを鳴らすように制御する制御手段と、
を備えたことを特徴とするコードレス電話装置。
【発明の詳細な説明】
【技術分野】
【０００１】
本発明は、子機を充電台から持ち上げると、発呼操作とみなして回線捕捉を行うクイック発信機能を有するコードレス電話装置に関するものである。
【背景技術】
【０００２】
例えば、特許文献１（特開平８−３０７３４０号公報）に示されるように、従来から、コードレス電話装置では、子機を充電台に載置することにより子機の充電端子に充電電圧が印加され、子機内蔵のバッテリーが充電されるようになっている。また、クイック発信機能として、子機の充電端子に充電電圧が印加されているか否かを検出し、子機の充電端子に充電電圧が印加されている状態から印加されない状態に切り替わったとき、子機が取り上げられてオフフックの状態になったと判断して、親機との間の回線を捕捉するような機能を有している。
【０００３】
また、一般的に、回線捕捉時や外線接続中に親機と通信できない場合、エラートーンを鳴らして操作者に知らせるようにしている。このように、従来のコードレス電話装置では、クイック発信機能を持たせたことにより、通話を行う際に、いちいち通話ボタンを押す手間が省け、また親機と通信できない状態になったとき、エラートーンによりそのことがすぐ分かる。
【特許文献１】特開平８−３０７３４０号公報（段落［００２７］、図２）
【発明の開示】
【発明が解決しようとする課題】
【０００４】
ところで、従来のコードレス電話装置では、停電が発生したり、会社の終業時等に部屋全体の電源供給スイッチが切られたりしたとき、充電台に置かれた子機に対する充電が停止するため、子機が取り上げられてオフフックの状態になったと判断して、子機は親機との間の回線を捕捉しようとする。しかしながら、親機に対する電源供給も停止するため親機は動作することができないので子機は親機との通信ができず、エラートーンを鳴らすことになる。一般に、事務所などでは、複数の電話機とそれぞれ複数の子機が設置されていることが多いが、終業時等に電源を落とすと、一斉に各子機がエラートーンを鳴らしてしまい非常にやかましい状態になるという問題点があった。
【０００５】
本願の発明者は上記の問題点を解消すべく種々検討を重ねた結果、充電検出ができなくなったのと、親機との無線接続が切れたのが同時に起こった場合は、エラートーンを鳴らさないようになせば、上記の問題点を解消し得ることを想到し本発明を完成するに至ったものである。
【０００６】
すなわち、本発明は、上記の問題点を解消することを課題とし、クイック発信機能や通話時の親機との無線接続の切断をエラートーンにより報知する機能を維持しながら、停電時等の無駄なエラートーン鳴動を防止することを目的とするものである。
【課題を解決するための手段】
【０００７】
前記課題を解決するため、本願の請求項１にかかる発明は、電話回線に接続された親機と、該親機と無線接続された子機と、を備えたコードレス電話装置において、子機に内蔵されたバッテリーの充電状態を検出する充電検出手段（例えば下記実施例では、制御部１に相当する）と、該充電検出手段が充電断を検出したとき親機と子機との間で回線捕捉を行う回線捕捉手段（例えば下記実施例では、制御部１に相当する）と、回線捕捉時や親機と子機との接続中に通信不能になったときエラートーンを鳴らすエラートーン鳴動手段（例えば下記実施例では、スピーカ（ＳＰ）１３に相当する）と、常時親機と子機間で通信している同期信号を検出する同期信号検出手段（例えば下記実施例では、制御部１に相当する）と、前記充電検出手段による充電断の検出と、前記同期信号検出手段による同期信号断の検出が同時に起きたとき、前記コードレス電話装置全体の電源が落ちていると判断して、前記通信不能になっても前記エラートーン鳴動手段によるエラートーンを鳴らさないように親機を圏外扱いに制御すると共に、前記同期信号検出手段による同期信号が断たれていなかった場合は、前記親機に対して回線が捕捉されたら、予め設定されたリトライ回数だけ回線接続要求を送出して、リトライオーバーとなった際は、前記エラートーン鳴動手段によるエラートーンを鳴らすように制御する制御手段（例えば下記実施例では、制御部１に相当する）と、を備えたことを特徴とする。
【発明の効果】
【０００８】
本発明のコードレス電話装置は、次のような効果を奏する。すなわち、請求項１にかかる発明においては、子機のバッテリーの充電が断となったら、親機からの同期信号が断たれているか否かを判別し、同期信号が断たれていたら、全体の電源が落ちていると判断して、親機と通信不能になってもエラートーンが鳴らないようにする。
【０００９】
このような構成によれば、クイック発信機能や通話時の親機無線切断をエラートーンにより報知する機能を維持しながら、停電時や終業時等に電源を落とした時、一斉に各子機から鳴動される無駄なエラートーン報知を防止することができるので、ユーザの利便性を向上させることができる。
【発明を実施するための最良の形態】
【００１０】
以下、本発明の具体例を実施例及び図面を用いて詳細に説明する。但し、以下に示す実施例は、本発明の技術思想を具体化するためのコードレス電話装置を例示するものであって、本発明をこのコードレス電話装置に特定することを意図するものではなく、特許請求の範囲に含まれるその他の実施形態のコードレス電話装置にも等しく適用し得るものである。
【実施例】
【００１１】
図１は、本発明の一実施例に係るコードレス電話装置の子機の概略構成を示すブロック図である。コードレス電話装置の子機は、制御部１、表示部２、操作部３、メモリ部４、電源部５、充電部６、ＡＣアダプタ７、送信部８、受信部９、周波数シンセサイザー１０、アンテナ１１、レシーバ１２、スピーカ（ＳＰ）１３などを備えて構成されている。
【００１２】
なお、制御部1は本発明の充電検出手段、回線捕捉手段、同期信号検出手段、制御手段に相当し、スピーカ（ＳＰ）１３は本発明のエラートーン鳴動手段に相当する。
【００１３】
制御部１は、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って子機の各種制御を行う。また、制御部１は、回線捕捉時や外線接続中に親機と通信不能になったときエラートーンを鳴らす制御を行う。
【００１４】
表示部２は、液晶パネルなどから構成される表示ユニットであり、制御部１からの制御信号に応じて、電話帳から読み出した電話番号や相手先の名称、通話時間、通話料金などのテキストデータ、画像データを液晶画面に各種表示を行う。
【００１５】
操作部３は、数字や文字の入力などを行うテンキー、発呼および通話の開始などを操作する通話キー、通話の終了などを操作する終話キー、電話帳の登録・検索を操作する電話帳キー、各種モードを設定するための操作を行うモード設定キーなどからなり、テンキーや操作キーを操作し、発呼操作や各種データの入力を行う。
【００１６】
メモリ部４は、ＲＡＭによって構成され、制御部１の動作に必要な情報（例えば、回線接続要求のリトライ回数など）や電話帳などの各種データが記憶されている。この電話帳には、名称、電話番号、メールアドレス、住所などの個人情報が記憶可能である。
【００１７】
電源部５は、充電式のバッテリーを内蔵し、子機の各部に電源を供給する。充電部６は、子機が充電台（図示せず）に載置されている間、ＡＣアダプタ７から与えられる所定の直流電圧により、電源部５のバッテリーの充電を行う。また、充電部６は、上記バッテリーの充電電流の有無を常時制御部１に送り、それを受けて制御部１は、バッテリーの充電状態を検出し、充電断を検出したとき、親機との間の回線捕捉を行う。
【００１８】
送信部８と受信部９は、アンテナ１１を介して後述する親機との間に無線による通話リンクを確立させて、親機に対して信号の送受信を行い、周波数シンセサイザー１０は、信号発振を行い、制御部１からの制御信号によって送信部８と受信部９の送受信周波数を切り換える。
【００１９】
レシーバ１２は、スピーカ（ＳＰ）とマイク（ＭＩＣ）により通話を行う。スピーカ（ＳＰ）は増幅回路で増幅された制御部1内の音声信号処理部の電気信号を音声に変換して出力するためのものであり、マイク（ＭＩＣ）は電気信号に変換した音声を増幅回路で増幅して制御部1内の音声信号処理部に出力するためのものである。また、スピーカ（ＳＰ）１３は、親機との通信が不能になったとき等にエラートーンを鳴らして報知するためのものである。
【００２０】
図２は、本発明の一実施例に係るコードレス電話装置の親機の概略構成を示すブロック図である。コードレス電話装置の親機は、制御部２１、着信検出部２２、回線接続部２３、表示部２４、操作部２５、メモリ部２６、ＡＣアダプタ２７、電源部２８、送信部３０、受信部３１、周波数シンセサイザー３２、アンテナ３３、受話器３４、スピーカ（ＳＰ）３５、マイク（ＭＩＣ）３６などを備えて構成されている。
【００２１】
制御部２１は、マイクロプロセッサを中心に構成され、一般的なコンピュータ装置と同様にＲＯＭ、ＲＡＭなどのメモリを備えており、ＲＯＭに格納されている各種制御プログラムを読み出し、ＲＡＭ内のプログラム格納領域に展開し、該制御プログラムに従って親機の各種制御を行う。
【００２２】
着信検出部２２は、外線から着信信号をパルス信号に波形整形して出力し、着信を検出する。回線接続部２３は、電話回線に接続されて回線の解放・閉結を行ったり、電話帳に記憶されている電話番号情報あるいは子機から転送された電話番号情報に基づいて発呼処理を行ったりして電話回線を介して外部の電話装置と接続する。
【００２３】
表示部２４は、液晶パネルなどから構成される表示ユニットであり、制御部１からの制御信号に応じて、電話帳から読み出した電話番号や相手先の名称、通話時間、通話料金などのテキストデータ、画像データを液晶画面に各種表示を行う。
【００２４】
操作部２５は、数字や文字の入力などを行うテンキー、発呼および通話の開始などを操作する通話キー、通話の終了などを操作する終話キー、電話帳の登録・検索を操作する電話帳キー、各種モードを設定するための操作を行うモード設定キーなどからなり、テンキーや操作キーを操作し、発呼操作や各種データの入力を行う。
【００２５】
メモリ部２６は、ＲＡＭによって構成され、制御部２１の動作に必要な情報である電話帳などの各種データが記憶されている。この電話帳には、名称、電話番号、メールアドレス、住所などの個人情報が記憶可能である。電源部２８は、ＡＣアダプタ２７から所定電圧の直流を受けて、親機の各部に電源を供給する。
【００２６】
送信部３０と受信部３１は、アンテナ３３を介して子機との間に無線による通話リンクを確立させて、子機に対して信号の送受信を行い、周波数シンセサイザー３２は、信号発振を行い、制御部２１からの制御信号によって送信部３０と受信部３１の送受信周波数を切り換える。
【００２７】
受話器３４は、スピーカ（ＳＰ）とマイク（ＭＩＣ）により通話を行う。スピーカ（ＳＰ）は増幅回路で増幅された制御部２１内の音声信号処理部の電気信号を音声に変換して出力するためのものであり、マイク（ＭＩＣ）は電気信号に変換した音声を増幅回路で増幅して制御部２１内の音声信号処理部に出力するためのものである。スピーカ（ＳＰ）３５とマイク（ＭＩＣ）３６は、ハンドフリーで通話するためのものである。
【００２８】
このような構成のコードレス電話装置において、本発明における子機は、回線捕捉時や外線接続中に親機と通信不能になったときエラートーンを鳴らす機能を有する。
【００２９】
また、デジタルコードレス電話装置における親機と子機との間で行う通信は、一般に、時分割多元接続方式が採用されており、１台の子機と親機との間の通信で、１チャンネル内の送信スロットと受信スロットとを数周期に１回だけ使用し、同一チャンネル内の他の送信スロットと受信スロットとを、他の子機と親機との間の通信に使用して、１チャンネルで複数台の子機と親機間で通信できるようにしている。
【００３０】
そのような方式の通信において、親機から各子機への制御信号の伝送は、所定周期毎に一定のフォーマットで行われる。そして、それぞれの子機側で受信待機状態になっているときは、その制御信号だけを同期信号として間欠的に受信するようになっている。
【００３１】
本発明では、子機の受信部９が親機からその同期信号を受信できなくなったとき、子機の制御部１は、親機側の電源が落ちていると判断し、子機の充電が停止し、子機がオフフックの状態になったと判断されて、子機が親機との間の回線を捕捉しようしたとき、親機と通信不能になってもエラートーンを鳴らさないようにし、停電時や終業時等に電源を落とした時、一斉に各子機がエラートーンを鳴らしてしまうことを防止するようにした。
【００３２】
次に、図３のフローチャートを参照しながら、本発明の子機の制御処理を説明する。
【００３３】
図３は、本発明の一実施例に係るコードレス電話装置の子機の制御処理を示すフローチャートである。
【００３４】
なお、図３に示す動作は制御部１に備えられたＲＯＭに記憶されている制御プログラムを実行することで実現される。
【００３５】
図３のフローチャートにおいて、充電台に載置された子機が親機からの信号を待ち受け中に、まずステップＳ１において、制御部１は、充電部６からの充電電流を検出し、この検出結果に基づいて充電部６により電源部５に内蔵されたバッテリーが充電中であるかを検出し、充電中であることを検出した場合にはステップＳ２に進み、一方、充電中ではないことを検出した場合にはステップＳ３に進む。
【００３６】
ステップＳ２では、制御部１は、操作部３に設けられたテンキーとともに通話キーが押下げられたか否かを判別し、通話キーが押下げられた場合にはステップＳ５に進み、通話キーが押下げられなかった場合にはステップＳ１の処理に戻る。
【００３７】
一方、ステップＳ１の検出処理において充電中ではないことを検出した場合には、制御部１は、ステップＳ３において、受信部９を制御することにより受信部９が同期信号を間歇的に受信し、制御部１がこの受信結果に基づいて親機からの同期信号が断たれているか否かを判別し、同期信号が断たれていると判別された場合にはステップＳ４に進み、同期信号が断たれていなかった場合にはステップＳ５に進む。
【００３８】
ステップＳ４では、制御部１は、充電中ではないことを検出し、かつ親機からの同期信号が断たれていると判別した場合には、コードレス電話装置全体の電源が落ちていると判断して、エラートーンが鳴らないように親機圏外状態の扱いにし、処理を終了させる。
【００３９】
一方、ステップＳ２の判別処理において通話キーが押下げられた場合、あるいはステップＳ３で同期信号が断たれていなかった場合には、制御部１は、ステップＳ５において、周波数シンセサイザー１０を制御することにより送信部８および受信部９を介して親機に対する回線捕捉処理を行う。そして、制御部１は、ステップＳ６において、回線が捕捉できたか否かを判別し、回線が捕捉された場合にはステップＳ７に進み、回線が捕捉されない場合にはステップＳ１３に進む。
【００４０】
ステップＳ７では、制御部１は、送信部８を介して親機に対して回線接続要求を送出する。そして、ステップＳ８において、制御部１は、受信部９を介して親機から接続応答信号を受信したか否かを判別し、接続応答信号を受信した場合にはステップＳ１０に進み、一方、接続応答信号を受信しなかった場合にはステップＳ９に進む。
【００４１】
ステップＳ９では、制御部１は、メモリ部４に予め設定されたリトライ回数だけ回線接続要求を送出してリトライオーバーになったか否かを判別し、リトライオーバーになっている場合にはステップＳ１３に進み、リトライオーバーになっていない場合にはステップＳ７に戻って回線接続要求送出のリトライを行う。
【００４２】
一方、ステップＳ８の判別処理において接続応答信号を受信した場合、制御部１は、ステップＳ１０において、周波数シンセサイザー１０を制御することにより送信部８および受信部９を介した外線通話の処理に移り、ステップＳ１１において、制御部１は通話が可能か否かを判別する。
【００４３】
ステップＳ１１の判別処理において、通話が可能である場合にはステップＳ１２に進み、通話が可能でない場合にはステップＳ１３に進む。ステップＳ１２では、制御部１は、通話が終了して操作部３に設けられた通話終了キーが押下げられて通話が終了したか否かを判別し、通話が終了した場合には処理を終了させ、一方、通話が終了していない場合にはステップＳ１１の処理に戻る。
【００４４】
一方、ステップＳ６の判別処理において回線が捕捉されない場合、ステップＳ９の判別処理においてリトライオーバーになっている場合、あるいはステップＳ１１の判別処理において通話が可能でない場合には、制御部１は、ステップＳ１３において、スピーカ（ＳＰ）１３からエラートーンを流し、処理を終了させる。
【００４５】
以上説明したように本発明に係るコードレス電話装置によれば、子機のバッテリーの充電が断となったら、親機からの同期信号が断たれているか否かを判別し、同期信号が断たれていたら、全体の電源が落ちていると判断して、親機と通信不能になってもエラートーンが鳴らないようにすることができる。このため、従来のように、通話時の親機無線切断でのエラートーンによる報知やクイック発信機能をそのまま利用可能とし、停電時の無駄なエラートーンによる報知を防止することができるので、ユーザの利便性を向上させることができる。
【図面の簡単な説明】
【００４６】
【図１】本発明の一実施例に係るコードレス電話装置の子機の概略構成を示すブロック図である。
【図２】本発明の一実施例に係るコードレス電話装置の親機の概略構成を示すブロック図である。
【図３】本発明の一実施例に係るコードレス電話装置の子機の制御処理を示すフローチャートである。
【符号の説明】
【００４７】
１，２１・・・・制御部
２，２４・・・・表示部
３，２５・・・・操作部
４，２６・・・・メモリ部
５，２８・・・・電源部
６・・・・充電部
７，２７・・・・ＡＣアダプタ
８，３０・・・・送信部
９，３１・・・・受信部
１０，３２・・・・周波数シンセサイザー
１１，３３・・・・アンテナ
１２・・・・レシーバ
１３・・・・スピーカ
２２・・・・着信検出部
２３・・・・回線接続部
３４・・・・受話器
３５・・・・スピーカ
３６・・・・マイク
【図１】
0004958703.tif 000002
【図２】
0004958703.tif 000003
【図３】
0004958703.tif 000004